【事件の表示】
　特願２００２−　　１６９４「無線通信システムでページングメッセージを送信する基地局／無線端末で用いられる方法」拒絶査定不服審判事件〔平成１４年　８月　９日出願公開、特開２００２−２２３４７０〕について、次のとおり審決する。
【結　論】
　本件審判の請求は、成り立たない。
【理　由】
第１．手続の経緯
　本願は、平成１４年１月８日（パリ条約に基づく優先権主張　２００１年１月８日　米国）の出願であって、 平成１９年８月２９日付けで拒絶査定がなされ、これに対して平成１９年１２月３日に拒絶査定不服審判が請求されるとともに、平成１９年１２月２７日付けで手続補正がなされたものである。
　　
　　
第２．平成１９年１２月２７日付けの手続補正についての補正却下の決定
［補正却下の決定の結論］
　平成１９年１２月２７日付けの手続補正を却下する。
　　
 ［理由］
１．補正内容
　本件補正は、補正前の特許請求の範囲（平成１６年１１月４日で付けで補正）の請求項１：
「【請求項１】　無線通信システムにおける無線端末において使用される装置であって、前記無線通信システムは、少なくとも１つの基地局と、ページングメッセージを受信する１つまたは複数の無線端末とを含み、本装置は、
　（Ａ）　ページングメッセージを１つまたは複数の無線端末に送信するためのページングタイムスロットを周期的に受信するように構成された受信器手段を有し、
　前記受信器手段は、前記ページングメッセージを得るために前記ページングタイムスロットを監視して復号化するように構成された監視手段および復号器手段を含み、前記ページングタイムスロットの各々は、１つまたは複数の特定の無線端末のうちの１つがページングされたことを示す指示を送信するための、１つまたは複数の第１タイプのページングタイムスロットと、ページングされた無線端末に対するページングメッセージを送信するための、少なくとも１つの第２タイプのページングタイムスロットとを含み、前記１つまたは複数の第１タイプのページングタイムスロットは、特定の第２タイプのページングタイムスロットと関連付けられており、前記第１タイプのページングタイムスロットの各々は、前記特定の第２タイプのページングタイムスロットよりも少ないビットを有し、
　前記復号器手段は、前記第２タイプのタイムスロット中の前記ページングメッセージが前記無線端末に向けられているか否かを決定するために、前記無線端末の前記指定された第１タイプのタイムスロットから少数のビットを復号化することのみを必要とするように構成され、これにより、電力を節約してバッテリーの寿命を延ばす、
無線通信システムにおける無線端末において使用される装置」
を、
　　　　　　　　
「【請求項１】
　無線通信システムにおける無線端末において使用される装置であって、前記無線通信システムは、少なくとも１つの基地局と、ページングメッセージを受信する１つまたは複数の無線端末とを含み、本装置は、
　（Ａ）前記少なくとも１つの基地局から少なくとも１つのページングチャネルを周期的に受信するように構成された受信器手段を有し、ある特定のページングチャネルは、ページングメッセージを１つまたは複数の無線端末に送信するためのページングタイムスロットを含み、
　前記受信器手段は、前記ページングメッセージを得るために前記ページングタイムスロットを監視して復号化するように構成された監視手段および復号器手段を含み、前記特定のページングチャネル内の前記ページングタイムスロットの各々は、１つまたは複数の特定の無線端末のうちの１つがページングされたことを示す指示を送信するための、１つまたは複数の第１タイプのページングタイムスロットと、ページングされた無線端末に対するページングメッセージを送信するための、少なくとも１つの第２タイプのページングタイムスロットとを含み、前記１つまたは複数の第１タイプのページングタイムスロットは、特定の第２タイプのページングタイムスロットと関連付けられており、前記第１タイプのページングタイムスロットの各々は、前記特定の第２タイプのページングタイムスロットよりも少ないビットを有し、　前記復号器手段は、前記第２タイプのタイムスロット中の前記ページングメッセージが前記無線端末に向けられているか否かを決定するために、前記無線端末の前記指定された第１タイプのタイムスロットから少数のビットを復号化することのみを必要とするように構成され、これにより、電力を節約してバッテリーの寿命を延ばす、　　　
無線通信システムにおける無線端末において使用される装置」
　　　
と補正することを含むものである。
　すなわち、本件補正は、請求項１において、
  　　　
ａ．「ページングメッセージを１つまたは複数の無線端末に送信するためのページングタイムスロットを周期的に受信する」を「前記少なくとも１つの基地局から少なくとも１つのページングチャネルを周期的に受信する」と補正し、
　　　　
ｂ．「ある特定のページングチャネルは、ページングメッセージを１つまたは複数の無線端末に送信するためのページングタイムスロットを含み、」を加入し、
　　　　
ｃ．「前記ページングタイムスロットの各々」を、「前記特定のページングチャネル内の前記ページングタイムスロットの各々」と補正するものである。
　　　　
　　　　
２．補正の目的　　　　
　上記補正事項ａ．は、ページングタイムスロットが少なくとも１つのページングチャネルに存在することを規定したものであり、ページングタイムスロットを限定したものであるから、特許請求の範囲の減縮を目的としたものである。
　上記補正事項ｂ．は、ページングタイムスロットがある特定のページングチャネルに含まれることを規定したものであり、ページングタイムスロットを限定したものであるから、特許請求の範囲の減縮を目的としたものである。
　上記補正事項ｃ．は、「前記ページングタイムスロットの各々」を、「前記特定のページングチャネル内の」という修飾語で限定したものであるから、特許請求の範囲の減縮を目的としたものである。
　　
　そこで、本件補正後の前記請求項１に記載された発明（以下、「本願補正発明」という。）が特許出願の際独立して特許を受けることができるものであるか（特許法１７条の２第５項において準用する同法１２６条５項の規定に適合するか）について以下に検討する。
　　　
　　　
３．引用発明
　原査定の拒絶の理由に引用された刊行物１（国際公開第９８／５４９１９号）には、図面とともに、以下の事項が記載されている。なお、和訳は、刊行物１のパテントファミリーである特表２００２−５０１７０６号公報によるものである。
　　　
（ａ）第５頁第５−１１行
「FIG. 1 is a block diagram of a highly simplified cellular telephone system configured for use with the use of the present invention. Wireless terminals 10 (typically cellular telephones) are located among base stations 12. Wireless terminals 10a and 10b are in active mode and therefore are interfacing with one or more base stations 12 using radio frequency (RF) signals modulated in accordance with the CDMA signal processing techniques of the IS-95 standard. 」
（和訳：図１はかなり単純化されたセルラ電話システムのブロック図である。本発明の使用とともに使用されるように構成される。ワイヤレスターミナル１０（典型的にはセルラ電話）は基地局１２間に配置される。ワイヤレスターミナル１０ａ及び１０ｂはアクティブモードであり、従って、ＩＳ−９５規格のＣＤＭＡ信号処理技術に従って変調された無線周波数（ＲＦ）信号を用いて、１つのあるいはそれ以上の基地局１２とインターフェースする。）
　　　
　　　
（ｂ）第６頁第１６−２１行
「FIG. 2 is a timing diagram illustrating the time slots of a full paging channel and a quick paging channel when configured in accordance with one embodiment of the invention. The quick paging channel is divided into quick paging slots 30 and the full paging channel is divided into full paging slots 32 which are preferably longer in duration that the quick paging slots. 」
（和訳： 図２は本発明の１つの実施形態に沿って形成された際のフルページングチャネルとクイックページングチャネルの時間スロットを示すタイミング図である。クイックページングチャネルはクイックページングスロット３０に分割され、フルページングチャネルはフルページングスロット３２に分割され、このフルページングスロット３２は好ましくはクイックページングスロットよりも長い。）
　　　
　　　
（ｃ）第６頁第２８−３６行
「To page a particular wireless terminal 10, a quick page message is transmitted during the quick paging slot and a full page message is transmitted during the full page slot assigned to that wireless terminal. The quick paging slot and full paging slots occur in a periodically repeating fashion, which ensures that a slot associated with particular terminal occurs after some limited period of time. As illustrated in FIG. 2, the full page slots 32 occur a delay 34 after the associated quick paging slots 30 to allow the wireless terminal to process the quick page message and activate additional decoding circuitry before the next full page slot. 」
（和訳：特定のワイヤレスターミナル１０をページングすべく、クイックページングメッセージはそのワイヤレスターミナルに割り当てられたクイックページングスロット間に送信され、フルページングメッセージはフルページングスロット間に送信される。クイックページングスロット及びフルページングスロットは、定期的に反復する方式で生じ、これにより、特定のターミナルに関連づけられたスロットがある限定された時間後に発生することが保証される。図２に示したように、フルページングスロット３２は関連するクイックページングスロット３０の後に遅延３４を発生させ、これによりワイヤレスターミナルがクイックページングメッセージを処理し、次のフルページングスロットの前に付加的なデコード回路を起動できる。）
　　　
　　　
（ｄ）第７頁第１０−１１行
「Additionally, the full paging slots are on the order of 80 ms, while the quick paging slots are on the order of 5 ms. 」
（和訳：加えて、フルページングスロットはおよそ８０ｍｓで、一方クイックページングスロットはおよそ５ｍｓである。）
　　　
　　　
（ｅ）第１１頁第１３−１５行
「Also, in another alternative embodiment of the invention, reduced forward error correction encoding is performed on the quick page message. 」
（和訳：また、他の代替的な形態では、クイックページングメッセージ上で、減少された前方エラー訂正エンコードが行われる。）
　　　
　　　
（ｆ）第１２頁第２７行−第１３頁第２１行
「If the assigned quick paging slot has arrived, the wireless terminal 10 processes the quick paging channel at step 86. Preferably, the processing is performed using a significantly smaller subset of the signal processing circuitry contained in the wireless terminal than used to process full page messages. In accordance with the transmit processing performed for the quick paging channel shown in FIG. 4, the receive processing is preferably comprised of downconversion of the RF energy received, despreading with the PN spreading code, and demodulation with the designated Walsh code. The resulting soft decision data is processed directly to determine the logic level transmitted. 
　Referring again to FIG. 5, at step 88 it is determined whether a quick page message was received at step 86 based on the logic level of the data detected. If a quick page message was detected processing continues at step 90 as described below. If a quick page message was not detected, it is further determined at step 89 whether the signal quality during the processing of the quick paging channel was acceptable. If so, the wireless terminal 10 returns to step 82. If the signal quality was not acceptable, processing continues at step 90 as described below. 
　The received signal quality can be determined by various well known methods including determining when the receive power of the signal from transmitted from transmitter 50 falls below a threshold, or by determining when the signal-to-noise ratio of the pilot channel falls below a predetermined threshold. By monitoring for a full page message when the received signal quality is unacceptable, the number of missed full page messages due to undetected quick page messages resulting from unacceptable signal quality is minimized.
　If a quick page message was detected, or the received signal quality was not acceptable, the wireless terminal 10 activates additional decoding circuitry at step 90 and, at step 92 processes the full paging channel during the assigned full paging slot using the activated circuitry. The time between the quick paging slot and the full paging slot assigned to a particular terminal must be sufficient to allow activation of the additional decoding circuitry within the wireless terminal 10 after detection of the quick page message before the full page slot occurs. 」
（和訳： 割り当てられたクイックページングスロットが届いた場合、ワイヤレスターミナル１０は工程８６でクイックページングチャネルを処理する。好ましくは、フルページングメッセージを処理するのに用いられるよりもかなり小さなワイヤレスターミナルに含まれている信号処理回路のサブセットを用いて処理が行われる。図４に示す、クイックページングチャネルのために行われる送信処理に従って、受信処理は、ＲＦエネルギーのダウンコンバートと、ＰＮ拡散コードによる逆拡散と、指定されたウォルシュコードを用いた復調を含む。結果としての軟判定データは直接処理され、送信された論理レベルを判定する。
　再度図５を参照すると、工程８８では、検出されたデータの論理レベルに基づいて工程８６でクイックページングメッセージが受信されたか否かが判定される。クイックページングメッセージが検出されると、工程９０で以下に説明される処理が継続される。クイックページングメッセージが検出されない場合、工程８９でさらに、クイックページングチャネル間における信号品質が認められるか否かが判定される。もしそうであれば、ワイヤレスターミナル１０は工程８２に戻る。信号品質が認められなければ、工程９０で以下に説明される処理が継続される。
　受信された信号の品質は、送信機５０から送信される信号の受信電力がしきい値未満に下がったときを判定するような、またパイロットチャネルのＳ／Ｎ比が所定のしきい値未満に下がったときを判定するような、種々の周知の手法により判定される。受信された信号品質が許容できない場合にフルページングメッセージを監視することにより、許容できない信号品質から生じる検出されないクイックページングメッセージに起因するフルページングメッセージの失敗数は最小になる。
　クイックページングメッセージが検出された場合、あるいは受信信号品質が許容できなかった場合、ワイヤレスターミナル１０は工程９０で付加的なデコード回路を起動させ、工程９２で割り当てられたフルページングスロット間で起動された回路を用いてフルページングチャネルを処理する。特定のターミナルに割り当てられたクイックページングスロットとフルページングスロットとの間の時間は、フルページングスロット発生前にクイックページングメッセージを検出した後に、ワイヤレスターミナル１０内の付加的なデコード回路の起動を可能にするのに充分である。）
　　　
　　　
（ｇ）第１４頁第１３−２１行
「In still another embodiment of the invention, the quick paging channel and the full paging channel are combined on to the same code channel. That is, the quick paging channel and the full paging channel are modulated with the same Walsh code. Within the same code channel the quick paging channel and the full paging channel are logically distinguished by a predetermined time division scheme. For example, during some 80 m s slots quick paging messages are transmitted, while during other 80 ms slots full paging channel messages are transmitted in accordance with a predetermined slot allocation scheme. 」
（和訳：さらに他の実施形態では、クイックページングチャネル及びフルページングチャネルは同一のコードチャネルに結合される。すなわち、クイックページングチャネル及びフルページングチャネルは同一のウォルシュコードで変調される。同一のコードチャネル内で、クイックページングチャネル及びフルページングチャネルは所定の時分割方式により論理的に識別される。例えば、所定のスロット割り当て方式に従って、ある８０ｍｓのスロット間にクイックページングメッセージが送信される一方で、他の８０ｍｓのスロット間に、フルページングチャネルメッセージが送信される。）
　　　
　　　
（ｈ）第１４頁第２７−３３行
「As should be apparent from the description provided above, by paging using a quick page message with a minimal number of bits, and which is transmitted over a minimally encoded channel, the present invention allows a wireless terminal to consume less power when monitoring for page messages during standby mode. Consuming less power in standby mode allows a wireless terminal to operate longer on a given battery, and therefore extends the standby time of that wireless terminal. 」
（和訳：上述した説明からも分かるように、最小のビット数を有し、最小にエンコードされたチャネルを通して送信される、クイックページングメッセージを用いたページングにより、本発明ではワイヤレスターミナルが待機モード中にページングメッセージを監視するときの電力をより少なくできる。待機モードにおける電力をより少なくすることにより、ワイヤレスターミナルは所定のバッテリでより長時間動作でき、従ってそのワイヤレスターミナルにおける待機時間が延長される。）
　　　
　　　
（ｉ）フロント頁のAbstract欄
「A terminal monitors full paging channel only after a quick page message has been received on the quick paging channel.」
（和訳：ターミナルは、クイックページングチャネル上でクイックページングメッセージが受信された後のみでフルページングチャネルを監視する。）
　　　　　
　　　　　
　したがって、刊行物１には次の発明（以下、「引用発明」という。）が記載されていると認められる。
　　　
「セルラ電話システムにおけるワイヤレスターミナル１０であって、ワイヤレスターミナル１０は、基地局１２間に配置され、アクティブモードのワイヤレスターミナル１０ａ及び１０ｂは、ＩＳ−９５規格のＣＤＭＡ信号処理技術に従って変調された無線周波数（ＲＦ）信号を用いて、１つのあるいはそれ以上の基地局１２とインターフェースし、
　クイックページングチャネルはクイックページングスロット３０に分割され、フルページングチャネルはフルページングスロット３２に分割され、このフルページングスロット３２は好ましくはクイックページングスロットよりも長く、
　特定のワイヤレスターミナル１０をページングすべく、クイックページングメッセージはそのワイヤレスターミナルに割り当てられたクイックページングスロット間に送信され、フルページングメッセージはフルページングスロット間に送信され、クイックページングスロット及びフルページングスロットは、定期的に反復する方式で生じ、これにより、特定のターミナルに関連づけられたスロットがある限定された時間後に発生することが保証され、フルページングスロット３２は関連するクイックページングスロット３０の後に遅延３４を発生させ、これによりワイヤレスターミナルがクイックページングメッセージを処理し、次のフルページングスロットの前に付加的なデコード回路を起動できるようになっており、
　加えて、フルページングスロットはおよそ８０ｍｓで、一方クイックページングスロットはおよそ５ｍｓであり、　
　また、他の代替的な形態では、クイックページングメッセージ上で、減少された前方エラー訂正エンコードが行われ、
　割り当てられたクイックページングスロットが届いた場合、ワイヤレスターミナル１０は工程８６でクイックページングチャネルを処理し、工程８８では、検出されたデータの論理レベルに基づいて工程８６でクイックページングメッセージが受信されたか否かが判定され、クイックページングメッセージが検出されると、ワイヤレスターミナル１０は工程９０で付加的なデコード回路を起動させ、工程９２で割り当てられたフルページングスロット間で起動された回路を用いてフルページングチャネルを処理し、この時、特定のターミナルに割り当てられたクイックページングスロットとフルページングスロットとの間の時間は、フルページングスロット発生前にクイックページングメッセージを検出した後に、ワイヤレスターミナル１０内の付加的なデコード回路の起動を可能にするのに充分であり、
　さらに他の実施形態では、クイックページングチャネル及びフルページングチャネルは同一のコードチャネルに結合されており、すなわち、クイックページングチャネル及びフルページングチャネルは同一のウォルシュコードで変調されており、同一のコードチャネル内で、クイックページングチャネル及びフルページングチャネルは所定の時分割方式により論理的に識別され、例えば、所定のスロット割り当て方式に従って、ある８０ｍｓのスロット間にクイックページングメッセージが送信される一方で、他の８０ｍｓのスロット間に、フルページングチャネルメッセージが送信され、
　ターミナルは、クイックページングチャネル上でクイックページングメッセージが受信された後のみでフルページングチャネルを監視し、
　最小のビット数を有し、最小にエンコードされたチャネルを通して送信される、クイックページングメッセージを用いたページングにより、ワイヤレスターミナルが待機モード中にページングメッセージを監視するときの電力をより少なくするので、ワイヤレスターミナルは所定のバッテリでより長時間動作でき、従ってそのワイヤレスターミナルにおける待機時間が延長される
　セルラ電話システムにおけるワイヤレスターミナル１０。」
　　
　　
４．本願補正発明と引用発明との一致点・相違点
　引用発明のワイヤレスターミナル１０は、ページングされるから、本願補正発明の「ページングメッセージを受信する１つまたは複数の無線端末」に相当する。
　　　　　
　引用発明のワイヤレスターミナル１０と基地局１２を含むセルラ電話システムは、本願補正発明の「少なくとも１つの基地局と、ページングメッセージを受信する１つまたは複数の無線端末とを含む無線通信システム」に相当する。
　　　
　引用発明において、クイックページングスロット及びフルページングスロットは、定期的に反復する方式で生じているから、ワイヤレスターミナル１０においては、「前記少なくとも１つの基地局から少なくとも１つのページングチャネルを周期的に受信するように構成された受信器手段を有し」ていることは明らかである。
　　　　　　　
　引用発明の他の実施形態では、クイックページングチャネル及びフルページングチャネルは同一のウォルシュコードで変調されており、
同一のコードチャネル
　　　
　引用発明の「クイックページングチャネルを処理する工程８６、及び検出されたデータの論理レベルに基づいて工程８６でクイックページングメッセージが受信されたか否かを判定する工程８８」が、本願補正発明の「前記ページングメッセージを得るために前記ページングタイムスロットを監視するように構成された監視手段」に相当する。
　　　　
　前記摘記事項（ｃ）の冒頭に「To page a particular wireless terminal 10, 」と記載されているから、ページングされるワイヤレスターミナル１０は、複数ではなく１台であることが明らかである。したがって、引用発明の「クイックページングスロット」が、本願補正発明の「１つまたは複数の特定の無線端末のうちの１つがページングされたことを示す指示を送信するための、１つまたは複数の第１タイプのページングタイムスロット」に相当する。
　　　
　引用発明の「フルページングスロット」が、本願補正発明の「ページングされた無線端末に対するページングメッセージを送信するための、少なくとも１つの第２タイプのページングタイムスロット」に相当する。
　　
　引用発明では、フルページングスロット３２は関連するクイックページングスロット３０の後に遅延３４を発生させるから、引用発明において、「前記１つまたは複数の第１タイプのページングタイムスロットは、特定の第２タイプのページングタイムスロットと関連付けられて」いることが明らかである。
　　　　
　引用発明では、クイックページングメッセージは、最小のビット数を有しているから、引用発明において、「前記第１タイプのページングタイムスロットの各々は、前記特定の第２タイプのページングタイムスロットよりも少ないビットを有し」ていることが明らかである。
　　　　
　引用発明では、工程８６でクイックページングチャネルを処理し、ターミナルが、クイックページングチャネル上でクイックページングメッセージが受信された後
のみ
　　　　　
　引用発明では、ワイヤレスターミナルが待機モード中にページングメッセージを監視するときの電力をより少なくするので、ワイヤレスターミナルは所定のバッテリでより長時間動作でき、従ってそのワイヤレスターミナルにおける待機時間が延長されるから、本願補正発明と同じく、「電力を節約してバッテリーの寿命を延ば」している。
　　
　　
　したがって、本願補正発明と引用発明の一致点・相違点は、次のとおりである。
　　　
［一致点］
「無線通信システムにおける無線端末において使用される装置であって、前記無線通信システムは、少なくとも１つの基地局と、ページングメッセージを受信する１つまたは複数の無線端末とを含み、本装置は、
　（Ａ）前記少なくとも１つの基地局から少なくとも１つのページングチャネルを周期的に受信するように構成された受信器手段を有し、ある特定のページングチャネルは、ページングメッセージを１つまたは複数の無線端末に送信するためのページングタイムスロットを含み、
　前記受信器手段は、前記ページングメッセージを得るために前記ページングタイムスロットを監視するように構成された監視手段を含み、前記特定のページングチャネル内の前記ページングタイムスロットの各々は、１つまたは複数の特定の無線端末のうちの１つがページングされたことを示す指示を送信するための、１つまたは複数の第１タイプのページングタイムスロットと、ページングされた無線端末に対するページングメッセージを送信するための、少なくとも１つの第２タイプのページングタイムスロットとを含み、前記１つまたは複数の第１タイプのページングタイムスロットは、特定の第２タイプのページングタイムスロットと関連付けられており、前記第１タイプのページングタイムスロットの各々は、前記特定の第２タイプのページングタイムスロットよりも少ないビットを有し、
　前記受信器手段は、前記第２タイプのタイムスロット中の前記ページングメッセージが前記無線端末に向けられているか否かを決定するために、前記無線端末の前記指定された第１タイプのタイムスロットから少数のビットを処理することのみを必要とするように構成され、これにより、電力を節約してバッテリーの寿命を延ばす、　　　
　無線通信システムにおける無線端末において使用される装置。」　
である点。　
　　　　
［相違点１］
　本願補正発明は、前記ページングメッセージを得るために前記ページングタイムスロットを復号化するように構成された復号器手段を有しているのに対して、引用発明には、かかる復号器手段が明記されていない点。
  　　　　
［相違点２］
　本願補正発明の復号器手段は、前記第２タイプのタイムスロット中の前記ページングメッセージが前記無線端末に向けられているか否かを決定するために、前記無線端末の前記指定された第１タイプのタイムスロットから少数のビットを復号化することのみを必要とするように構成されているのに対して、引用発明には、かかる復号器手段が明記されていない点。
　　　
　　　
５．相違点についての検討
　　　
［相違点１について］
　引用発明の他の代替的な形態では、クイックページングメッセージ上で、減少された前方エラー訂正エンコードを行うから、引用発明のターミナルにおいて、減少された前方エラー訂正デコードを行うことは、容易に想到できたことである。この「減少された前方エラー訂正デコードを行う」デコーダが、本願補正発明の復号器手段に相当する。
　　　　
［相違点２について］
　前記［一致点］において指摘したように、引用発明においては、「前記受信器手段は、前記第２タイプのタイムスロット中の前記ページングメッセージが前記無線端末に向けられているか否かを決定するために、前記無線端末の前記指定された第１タイプのタイムスロットから少数のビットを処理することのみを必要とするように構成され」ているから、引用発明において、［前記相違点１について］に記載した「減少された前方エラー訂正デコードを行う」デコーダを備えれば、「前記復号器手段は、前記第２タイプのタイムスロット中の前記ページングメッセージが前記無線端末に向けられているか否かを決定するために、前記無線端末の前記指定された第１タイプのタイムスロットから少数のビットを復号化することのみを必要とするように構成され」ることは明らかである。
　　
　そして、本願補正発明の作用効果も、刊行物１から当業者が予測できる範囲のものである。
　したがって、本願補正発明は、刊行物１に記載された発明に基づいて、当業者が容易に発明をすることができたものであるから、特許法２９条２項の規定により特許出願の際独立して特許を受けることができないものである。
　　　　
　　　　
６．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　　　
　　　
第３．本願発明について
　平成１９年１２月２７日付の手続補正は上記のとおり却下されたので、本願の請求項１に係る発明（以下、「本願発明」という。）は、平成１６年１１月４日付け手続補正書の特許請求の範囲の請求項１に記載された事項により特定されるものである。
　　　
１．刊行物及び引用発明　　　
　原査定の拒絶の理由に引用された刊行物、及び引用発明は、前記「第２．３．」に記載したとおりである。　
　　　　　
　　　　　
２．対比・判断
　本願発明は、前記第２．で検討した本願補正発明から補正事項ａ．〜ｃ．の構成を省いたものである。
　そうすると、本願発明の構成要件をすべて含み、さらに他の構成要件を付加したものに相当する本願補正発明が、「前記２．５．」に記載したとおり、引用発明に基づいて、当業者が容易に発明をすることができたものであるから、本願発明も同様の理由により、引用発明に基づいて、当業者が容易に発明をすることができたものである。　
　　　
　　　
３．むすび
　以上のとおり、本願の請求項１係る発明は、刊行物１に記載された発明に基づいて、当業者が容易に発明をすることができたものであるから、特許法第２９条第２項の規定により特許を受けることができない。
　したがって、本願のその余の請求項にかかる発明について検討するまでもなく、本願は拒絶されるべきものである。
　よって、結論のとおり審決する。